(57)【要約】【課題】患者に取って容易に調剤薬局が選択でき、調剤が依頼できると共に、調剤薬局の薬剤師に取っても負担が少ない調剤薬局案内システム、調剤薬局案内装置、調査薬局案内プログラムおよび調剤薬局案内方法を提供することを目的とする。【解決手段】調剤薬局案内装置１０は、調剤薬局に設置された第１端末装置２０から送信された、処方箋を受け付けてから薬を受け取れるまでの時間を示す調剤薬局ごとの待ち時間を、調剤薬局の一覧と共に、患者が操作する第２端末装置３０に送信する。調剤薬局の一覧から選択された調剤薬局Ｄが第２端末装置３０から通知されると共に、患者の処方箋の撮影画像Ｐが送信されると、処方箋の撮影画像Ｐを選択された調剤薬局Ｄに設置された第１端末装置１０に送信する。【選択図】図１１
2018073066.tif 000002
【特許請求の範囲】
【請求項１】
調剤薬局に設置された第１端末装置と、患者が操作する第２端末装置と、前記第１端末装置および前記第２端末装置と通信する調剤薬局案内装置とを備え、
前記第１端末装置は、処方箋を受け付けてから薬を受け取れるまでの時間を示す前記調剤薬局ごとの待ち時間を前記調剤薬局案内装置へ送信する手段と、前記患者の処方箋の撮影画像を受信する手段とを備え、
前記第２端末装置は、前記調剤薬局案内装置からの調剤薬局の一覧と前記調剤薬局ごとの待ち時間とを表示する手段と、前記調剤薬局の一覧から選択された調剤薬局を前記調剤薬局案内装置へ通知する手段と、前記患者の処方箋を撮影する手段と、前記患者の処方箋の撮影画像を前記調剤薬局案内装置へ送信する手段とを備え、
前記調剤薬局案内装置は、前記第１端末装置からの前記待ち時間を受信する手段と、前記調剤薬局の一覧と共に、前記待ち時間を前記第２端末装置へ送信する手段と、前記調剤薬局の一覧から選択された調剤薬局に設置された前記第１端末装置へ前記撮影画像を送信する手段とを備えた調剤薬局案内システム。
【請求項２】
前記調剤薬局案内装置は、前記第２端末装置の位置を示す患者位置情報に基づいて、前記患者の位置から前記調剤薬局までの距離を演算する手段を備え、前記調剤薬局の一覧に前記距離を付加して第２端末装置へ送信する請求項１記載の調剤薬局案内システム。
【請求項３】
前記調剤薬局案内装置は、前記第２端末装置の位置を示す患者位置情報の周囲に位置する前記調剤薬局が示された地図画像を、前記第２端末装置へ送信する手段を備えた請求項１または２記載の調剤薬局案内システム。
【請求項４】
前記調剤薬局案内装置は、前記調剤薬局の一覧から選択された調剤薬局が営業時間外であったときに、該調剤薬局の周囲の営業中の調剤薬局の一覧を前記第２端末装置へ送信する手段を備えた請求項１から３のいずれかの項に記載の調剤薬局案内システム。
【請求項５】
前記第１端末装置は、調剤中の処方箋数を薬剤師の人数にて除算し、処方箋１枚当たりの調剤時間を乗算して、前記待ち時間を算出する手段を備えた請求項１から４のいずれかの項に記載の調剤薬局案内システム。
【請求項６】
前記第１端末装置は、前記処方箋１枚当たりの調剤時間を、調剤の種類ごとに算出した調剤時間の合計を、総受付件数で除算することから求める請求項５記載の調剤薬局案内システム。
【請求項７】
調剤薬局に設置された第１端末装置から送信された、処方箋を受け付けてから薬を受け取れるまでの時間を示す前記調剤薬局ごとの待ち時間を、前記調剤薬局の一覧と共に、患者が操作する第２端末装置に送信する手段と、
前記調剤薬局の一覧から選択された調剤薬局が前記第２端末装置から通知されると共に、患者の処方箋の撮影画像が送信されると、前記処方箋の撮影画像を前記選択された調剤薬局に設置された前記第１端末装置に送信する手段とを備えた調剤薬局案内装置。
【請求項８】
コンピュータを、
調剤薬局に設置された第１端末装置から送信された、処方箋を受け付けてから薬を受け取れるまでの時間を示す前記調剤薬局ごとの待ち時間を、前記調剤薬局の一覧と共に、患者が操作する第２端末装置に送信する手段、
前記調剤薬局の一覧から選択された調剤薬局が前記第２端末装置から通知されると共に、患者の処方箋の撮影画像が送信されると、前記処方箋の撮影画像を前記選択された調剤薬局に設置された前記第１端末装置に送信する手段として機能させる調剤薬局案内プログラム。
【請求項９】
調剤薬局に設置された第１端末装置が、処方箋を受け付けてから薬を受け取れるまでの時間を示す前記調剤薬局ごとの待ち時間を、調剤薬局案内装置へ送信するステップと、
前記調剤薬局案内装置が、調剤薬局の一覧と前記調剤薬局ごとの待ち時間とを、患者が操作する第１端末装置へ送信するステップと、
前記第１端末装置が、前記調剤薬局の一覧から選択された調剤薬局と、前記患者の処方箋の撮影画像とを前記調剤薬局案内装置へ送信するステップと、
前記調剤薬局案内装置が、前記調剤薬局の一覧から選択された調剤薬局に設置された前記第１端末装置へ前記撮影画像を送信するステップとを含む調剤薬局案内方法。
【発明の詳細な説明】
【技術分野】
【０００１】
本発明は、病院の医師から処方された処方箋を調剤薬局に撮影画像にて送信し、薬を調剤薬局にて受け取る調剤薬局案内システム、調剤薬局案内装置、調査薬局案内プログラムおよび調剤薬局案内方法に関するものである。
【背景技術】
【０００２】
病院から処方箋を受けて、調剤薬局で調剤を依頼するときに、調剤の受付状況によっては、薬剤師に処方箋を渡し、調剤された薬を受け取るまで、相当待たされるときがある。
患者が予め待ち時間が把握できると、待ち時間を有効活用できるため、利便性が高い。
そこで、待ち時間を通知する技術が特許文献１，２に開示されている。
【０００３】
特許文献１に記載の「調剤薬局処方箋送信システム」は、患者が病院から受け取った処方箋の処方箋情報を、データセンターを介して、患者にとって適切な複数の調剤薬局に送信すると、調剤薬局から、価格、調剤終了予定時刻が、データセンターを介して患者にその結果が報告されるため、患者が、その結果から調剤薬局を選択し、希望する調剤薬局において薬を購入できる、というものである。
【０００４】
また、特許文献２に記載の「調剤薬局情報提供システム」は、患者の属性情報、例えば氏名、住所、電話番号などの他、既往歴、診察結果（病名、処方した薬）などの患者の電子カルテの情報と、患者が希望する条件、例えば駐車場、病院から数分以内、駅から数分以内等の、患者が任意に希望する条件の情報とに基づいて調剤薬局を検索し、検索された調剤薬局の利用するコンピュータ端末に対して、薬を受け取るまでの予想待ち時間の問い合わせを行い、それに基づいて患者の薬の受取の予想時刻を算出する、というものである。
【先行技術文献】
【特許文献】
【０００５】
【特許文献１】特開２００３−２６３４９９号公報
【特許文献２】特開２００７−２３３５７８号公報
【発明の概要】
【発明が解決しようとする課題】
【０００６】
しかし、特許文献１に記載の「調剤薬局処方箋送信システム」では、予め処方箋がいくつかの調剤薬局へ送信されるため、患者が調剤を依頼する調剤薬局は１店なのに、その他の調剤薬局でも、この処方箋に基づいて、価格や調剤終了予定時刻を見積もる必要がある。従って、薬剤師に取って、価格や調剤終了予定時刻の見積作業が煩雑である。
【０００７】
特許文献２に記載の「調剤薬局情報提供システム」では、医師が入力した電子カルテを調剤薬局にて受信するために、医師が使用するコンピュータ端末と調剤薬局に設置されたコンピュータ端末とが接続されていなければならない。
また、特許文献２に記載の「調剤薬局情報提供システム」では、電子カルテからの、患者の病歴、身体の状況、処方される薬などの情報に基づいて、患者が調剤薬局を利用するにあたり最低限必要な条件を満たす調剤薬局を検索している。
しかし、患者の病歴、身体の状況に基づいて、患者が利用する調剤薬局を選択するためには、サーバの処理に高度な判断が必要である。
更に、処方される薬により調剤薬局を選択するためには、調剤薬局に備え付けられた薬のデータベースを、サーバに構築しておく必要がある。従って、数千種類にも及ぶ薬のデータを、調剤薬局ごとに整備する必要がある。
【０００８】
そこで本発明は、患者に取って容易に調剤薬局が選択でき、調剤が依頼できると共に、調剤薬局の薬剤師に取っても負担が少ない調剤薬局案内システム、調剤薬局案内装置、調査薬局案内プログラムおよび調剤薬局案内方法を提供することを目的とする。
【課題を解決するための手段】
【０００９】
本発明の調剤薬局案内システムは、
調剤薬局に設置された第１端末装置と、患者が操作する第２端末装置と、前記第１端末装置および前記第２端末装置と通信する調剤薬局案内装置とを備え、前記第１端末装置は、処方箋を受け付けてから薬を受け取れるまでの時間を示す前記調剤薬局ごとの待ち時間を前記調剤薬局案内装置へ送信する手段と、前記患者の処方箋の撮影画像を受信する手段とを備え、
前記第２端末装置は、前記調剤薬局案内装置からの調剤薬局の一覧と前記調剤薬局ごとの待ち時間とを表示する手段と、前記調剤薬局の一覧から選択された調剤薬局を前記調剤薬局案内装置へ通知する手段と、前記患者の処方箋を撮影する手段と、前記患者の処方箋の撮影画像を前記調剤薬局案内装置へ送信する手段とを備え、
前記調剤薬局案内装置は、前記第１端末装置からの前記待ち時間を受信する手段と、前記調剤薬局の一覧と共に、前記待ち時間を前記第２端末装置へ送信する手段と、前記調剤薬局の一覧から選択された調剤薬局に設置された前記第１端末装置へ前記撮影画像を送信する手段とを備えたことを特徴する。
【００１０】
本発明の調剤薬局案内装置は、
調剤薬局に設置された第１端末装置から送信された、処方箋を受け付けてから薬を受け取れるまでの時間を示す前記調剤薬局ごとの待ち時間を、前記調剤薬局の一覧と共に、患者が操作する第２端末装置に送信する手段と、
前記調剤薬局の一覧から選択された調剤薬局が前記第２端末装置から通知されると共に、患者の処方箋の撮影画像が送信されると、前記処方箋の撮影画像を前記選択された調剤薬局に設置された前記第１端末装置に送信する手段とを備えたことを特徴とする。
【００１１】
本発明の調剤薬局案内プログラムは、
コンピュータを、
調剤薬局に設置された第１端末装置から送信された、処方箋を受け付けてから薬を受け取れるまでの時間を示す前記調剤薬局ごとの待ち時間を、前記調剤薬局の一覧と共に、患者が操作する第２端末装置に送信する手段、
前記調剤薬局の一覧から選択された調剤薬局が前記第２端末装置から通知されると共に、患者の処方箋の撮影画像が送信されると、前記処方箋の撮影画像を前記選択された調剤薬局に設置された前記第１端末装置に送信する手段として機能させることを特徴とする。
【００１２】
本発明の調剤薬局案内方法は、
調剤薬局に設置された第１端末装置が、処方箋を受け付けてから薬を受け取れるまでの時間を示す前記調剤薬局ごとの待ち時間を、調剤薬局案内装置へ送信するステップと、
前記調剤薬局案内装置が、調剤薬局の一覧と前記調剤薬局ごとの待ち時間とを、患者が操作する第１端末装置へ送信するステップと、
前記第１端末装置が、前記調剤薬局の一覧から選択された調剤薬局と、前記患者の処方箋の撮影画像とを前記調剤薬局案内装置へ送信するステップと、
前記調剤薬局案内装置が、前記調剤薬局の一覧から選択された調剤薬局に設置された前記第１端末装置へ前記撮影画像を送信するステップとを含むことを特徴とする。
【００１３】
本発明によれば、調剤薬局に設置された第１端末装置が、処方箋を受け付けてから薬を受け取れるまでの時間を示す前記調剤薬局ごとの待ち時間を、調剤薬局案内装置へ送信するため、患者が調剤薬局の一覧を第２端末装置に表示させるときに、調剤薬局ごとの待ち時間が調剤薬局案内装置から送信されるので、調剤薬局ごとの待ち時間を把握することができる。そして、第２端末装置に送信された調剤薬局の一覧から選択された調剤薬局に、処方箋の撮影画像を調剤薬局案内装置に送信することで、第１端末装置へ処方箋の撮影画像が送信されるので、待ち時間を見て適切な時間に調剤薬局へ向かえば、待ち時間無く、薬を受け取ることができる。従って、調剤を依頼する調剤薬局を選択する前に、処方箋の撮影画像を送信したり、調剤を依頼されないかも知れない調剤に要する時間を検討したり、医師が入力した電子カルテを調剤薬局へ送信したりする必要がない。
【００１４】
本発明の調剤薬局案内装置は、前記第２端末装置の位置を示す患者位置情報に基づいて、前記患者の位置から前記調剤薬局までの距離を演算する手段を備え、前記調剤薬局の一覧に前記距離を付加して第２端末装置へ送信することができる。調剤薬局の一覧に患者の位置から調剤薬局までの距離が、調剤薬局案内装置から第２端末装置に送信されるため、患者は待ち時間だけでなく、調剤薬局までの距離を参考に、調剤を依頼する調剤薬局を選択することができる。
【００１５】
前記調剤薬局案内装置は、前記第２端末装置の位置を示す患者位置情報の周囲に位置する前記調剤薬局が示された地図画像を、前記第２端末装置へ送信する手段を備えることができる。第２端末装置に、患者位置情報の周囲に位置する調剤薬局が示された地図画像が送信されるので、調剤薬局の位置を地図上で確認することができる。
【００１６】
前記調剤薬局案内装置は、前記調剤薬局の一覧から選択された調剤薬局が営業時間外であったときに、該調剤薬局の周囲の営業中の調剤薬局の一覧を前記第２端末装置へ送信する手段を備えていると、患者は営業中の調剤薬局を容易に把握することができる。
【００１７】
前記第１端末装置は、調剤中の処方箋数を薬剤師の人数にて除算し、処方箋１枚当たりの調剤時間を乗算して、前記待ち時間を算出する手段を備えることができる。このように待ち時間を算出することで、調剤が依頼される処方箋の薬が不明であっても、目安となる待ち時間を患者に提示することができる。
【００１８】
前記第１端末装置は、前記処方箋１枚当たりの調剤時間を、調剤の種類ごとに算出した調剤時間の合計を、総受付件数で除算することから求めることができる。処方箋１枚当たりの調剤時間を、薬調剤の種類ごと算出した調剤時間に基づいて算出することで、調剤に時間が掛かる一包化する薬や計量混合する薬なども反映させることができる。
【発明の効果】
【００１９】
本発明によれば、調剤を依頼する調剤薬局を選択する前に、処方箋の撮影画像を送信したり、調剤を依頼されないかも知れない調剤に要する時間を検討したり、医師が入力した電子カルテを調剤薬局へ送信したりする必要がないため、患者に取って容易に調剤薬局が選択でき、調剤が依頼できると共に、調剤薬局の薬剤師に取っても負担が少ない。
【図面の簡単な説明】
【００２０】
【図１】本発明の実施の形態に係る調剤薬局案内システムを説明するための図である。
【図２】図１に示す調剤薬局案内システムの第１端末装置の構成を説明するためのブロック図である。
【図３】図１に示す調剤薬局案内システムの第２端末装置の構成を説明するためのブロック図である。
【図４】図１に示す調剤薬局案内システムの調剤薬局案内装置の構成を説明するためのブロック図である。
【図５】図２に示す第１端末装置に表示された受付画面の一例の図である。
【図６】図３に示す第２端末装置に表示された初期画面の一例の図である。
【図７】図３に示す第２端末装置に表示された薬局選択画面の一例の図である。
【図８】図３に示す第２端末装置に表示された薬局情報画面の一例の図である。
【図９】図３に示す第２端末装置に表示された確認画面の一例の図である。
【図１０】図３に示す第２端末装置に表示された送信準備画面の一例の図である。
【図１１】図１に示す調剤薬局案内システムの動作を説明するための図である。
【図１２】図３に示す第２端末装置に表示された薬局選択画面にて、営業時間外の調剤薬局を含むときの一例の図である。
【図１３】図１２に示す薬局選択画面にて、営業時間外の調剤薬局を選択したときの動作および使用状態を説明するための図である。
【発明を実施するための形態】
【００２１】
本発明の実施の形態に係る調剤薬局案内システムを図面に基づいて説明する。
図１に示すように、調剤薬局案内システムＳは、調剤薬局Ｄに設置された第１端末装置２０と、患者Ｃが操作する第２端末装置３０と、第１端末装置２０および第２端末装置３０と電気通信回線の一例であるインターネットＷを介して通信する調剤薬局案内装置１０とを備えている。調剤薬局案内装置１０は、例えば、調剤薬局Ｄを統括する管理センターに設置される。
【００２２】
まず、第１端末装置２０の構成について、図面に基づいて説明する。
第１端末装置２０は、ＷｉＦｉ（登録商標）やＢＬＵＥＴＯＯＴＨ（登録商標）などの規格の無線通信により、無線ルータなどの無線中継装置Ｒを介してインターネットＷと接続されている。無線中継装置Ｒには、プリンタ装置ＰＲが接続されている。第１端末装置２０は、調剤薬局用プログラムが動作することにより、各種の手段として機能している。第１端末装置２０は、コンピュータの一例であるタブレット端末とすることができる。
【００２３】
図２に示すように、第１端末装置２０は、通信手段２１と、画面情報処理手段２２と、設定手段２３と、待ち時間処理手段２４と、撮影画像受信手段２５と、印刷制御手段２６と、入力手段２７と、表示手段２８と、記憶手段２９とを備えている。
【００２４】
通信手段２１は、インターネットＷからの受信データを入力して、第１端末装置２０内の各手段に出力したり、第１端末装置２０内の各手段からの送信データを入力してインターネットＷやプリンタ装置ＰＲへ送信したりする機能を備えている。通信手段２１は、無線中継装置Ｒと無線通信しているが、ケーブルを接続して有線通信としてもよい。
【００２５】
画面情報処理手段２２は、記憶手段２９に格納された画面情報を読み出し、表示手段２８に表示する機能を備えている。
設定手段２３は、薬剤師が入力手段２７を操作して入力した各種の設定情報を、待ち演算情報として、記憶手段２９に格納する機能を有する。設定手段２３は、第１〜第３設定手段２３１〜２３３を備えている。
第１設定手段２３１は、「調剤中の処方箋数」を設定する。第２設定手段２３２は、「薬剤師の人数」を設定する。第３設定手段２３３は、「処方箋１枚当たりの調剤時間」を設定する。
【００２６】
待ち時間処理手段２４は、待ち演算情報に基づいて、待ち時間を算出して、調剤薬局案内装置１０へ送信すると共に、表示手段２８に表示する機能を備えている。また、待ち時間処理手段２４は、「処方箋１枚当たりの調剤時間」に設定された時間が経過すると、待ち時間を減算する機能を備えている。
撮影画像受信手段２５は、調剤薬局案内装置１０からの処方箋の撮影画像を受信して記憶手段２９に格納する機能を備えている。
印刷制御手段２６は、記憶手段２９に格納された処方箋の撮影画像をプリンタ装置ＰＲに出力し、印刷する機能を備えている。
【００２７】
入力手段２７は、第１端末装置２０をタブレット端末とすれば、表示手段２８の表面に貼られたタッチパネルとすることができる。第１端末装置２０がノートパソコンやデスクトップパソコンであればキーボードやマウスとすることができる。表示手段２８は、液晶表示パネルとしたり、有機ＥＬパネルとしたりすることができる。
記憶手段２９は、各種の情報が格納される。記憶手段２９は、バッテリバックアップメモリとしたりフラッシュメモリとしたりすることができる。また、第１端末装置２０がノートパソコンやデスクトップパソコンであれば、記憶手段２９をハードディスクドライブとすることができる。
【００２８】
次に、第２端末装置３０の構成を図面に基づいて説明する。
図１に示すように、第２端末装置３０は、図示しない携帯電話会社の中継局と無線通信してインターネットＷと接続されている。第２端末装置３０は、患者用プログラムが動作することにより各種の手段として機能している。
【００２９】
第２端末装置３０は、外出中でもインターネットＷと通信可能な、コンピュータの一例であるスマートフォンとしたり、タブレット端末としたりすることができる。
第２端末装置３０は、調剤薬局から問合せの電話が掛かってくることがあるため、第２端末装置３０はスマートフォンであるのが望ましい。また、第２端末装置３０をタブレット端末とした場合には、別途、携帯電話を所持しておくことが望ましい。本実施の形態では、患者用プログラムが携帯電話のみにインストールできるように作成されている。
【００３０】
第２端末装置３０の構成を図３に示す。図３では、調剤薬局案内装置１０と通信するための機能のみを図示しており、電話機能などは省略している。
図３に示すように、第２端末装置３０は、通信手段３１と、画面情報処理手段３２と、受信情報処理手段３３と、送信情報処理手段３４と、位置検出手段３５と、撮影手段３６と、入力手段３７と、表示手段３８と、記憶手段３９とを備えている。
【００３１】
通信手段３１は、携帯電話会社の中継局と、ＬＴＥ（Long Term Evolution）などの各種の無線方式によりデータを送受信する機能を備えている。
画面情報処理手段３２は、記憶手段３９に格納された画面情報を読み出し、表示手段３８に表示する機能を備えている。
受信情報処理手段３３は、インターネットＷから受信した情報を、表示手段３８に表示したり、記憶手段３９に格納したりする機能を備えている。
送信情報処理手段３４は、入力手段３７から入力された情報や、撮影手段３６により撮影された画像、記憶手段３９に格納された情報を、インターネットＷへ送信する機能を備えている。
【００３２】
位置検出手段３５は、第２端末装置３０の所在地を、緯度、経度で表した位置情報（患者位置情報）として出力するＧＰＳ機能を備えている。
撮影手段３６は、処方箋を撮影して撮像画像として記憶手段３９に格納するデジタルカメラとしての機能を備えている。入力手段３７は、表示手段３８の表面に貼られたタッチパネルである。表示手段３８は、液晶表示パネルとしたり、有機ＥＬパネルとしたりすることができる。
記憶手段３９は、各種の情報が格納される。記憶手段３９は、バッテリバックアップメモリとしたりフラッシュメモリとしたりすることができる。
【００３３】
次に、調剤薬局案内装置１０の構成を図面に基づいて説明する。
調剤薬局案内装置１０は、調剤薬局案内プログラムが動作するコンピュータである。図４に示すように、調剤薬局案内装置１０は、通信手段１１と、待ち時間受信手段１２と、距離演算手段１３と、薬局一覧送信手段１４と、地図画像送信手段１５と、履歴一覧送信手段１６と、選択薬局処理手段１７と、撮影画像転送手段１８と、記憶手段１９とを備えている。
【００３４】
通信手段１１は、インターネットＷからの受信データを入力して、調剤薬局案内装置１０内の各手段に出力したり、調剤薬局案内装置１０内の各手段からの送信データを入力してインターネットＷへ送信したりする機能を備えている。通信手段１１は、ＬＡＮとすることができる。
【００３５】
待ち時間受信手段１２は、調剤薬局に設置された第１端末装置２０からの待ち時間を受信して、調剤薬局に対応付けて記憶手段１９に格納される。
距離演算手段１３は、第２端末装置３０の位置を示す患者位置情報に基づいて、患者の位置から調剤薬局までの距離（以下、患者の位置から調剤薬局までの距離を、単に「距離」と称す。）を演算する機能を備えている。
【００３６】
薬局一覧送信手段１４は、第２端末装置３０からの要求に応じて調剤薬局の一覧を生成し、調剤薬局ごとに待ち時間および距離を付加して、第２端末装置３０へ送信する機能を備えている。
地図画像送信手段１５は、第２端末装置３０の位置を示す患者位置情報に基づいて、周囲に位置する調剤薬局が示された地図画像を、第２端末装置３０へ送信する機能を備えている。
【００３７】
履歴一覧送信手段１６は、記憶手段１９に患者ごとに管理された利用した調剤薬局の履歴を読み出し、履歴一覧として第２端末装置３０へ送信する機能を備えている。
選択薬局処理手段１７は、患者が第２端末装置３０を操作することで、調剤薬局の一覧から選択された調剤薬局を、第２端末装置３０から受信し、この選択された調剤薬局に関する調剤薬局情報を第２端末装置３０へ送信する機能を備えている。
撮影画像転送手段１８は、第２端末装置３０から送信された処方箋の撮影画像を、一覧から選択された調剤薬局に設置された第１端末装置２０へ送信する機能を備えている。
【００３８】
記憶手段１９は、ハードディスクドライブとしたり、ＳＳＤとしたりすることができる。記憶手段１９には、調剤薬局の各種の情報（以下、調剤薬局情報と称す。）が格納される。調剤薬局情報は、調剤薬局の外観写真、名称、住所、営業曜日、営業時間、定休日、電話番号、薬局からのメッセージなどとすることができる。
【００３９】
以上のように構成された本発明の実施の形態に係る調剤薬局案内システムの動作および使用状態を図面に基づいて説明する。
まず、図１に示す調剤薬局Ｄの第１端末装置２０では、図２に示す画面情報処理手段２２により、記憶手段２９に格納された、図５に示すような受付画面Ｐ１が読み出され、表示手段２８に表示されている。
【００４０】
受付画面Ｐ１では、最上段に、処方箋を受け付けてから薬を受け取れるまでの時間を示す「待ち時間」表示部２０１が表示されている。「待ち時間」表示部２０１に下には、調剤をしている処方箋数を示す「調剤中処方箋数」設定部２０２が表示されている。「調剤中処方箋数」設定部２０２の下には、処方箋を受け付けたときに押下される「受付」ボタン２０３が表示されている。「受付」ボタン２０３の下には、現時間帯での薬剤師の人数を設定する「薬剤師の人数」設定部２０４が表示されている。「薬剤師の人数」設定部２０４の下には、処方箋１枚当たりの所要時間を示す「１枚当たりの時間」設定部２０５が表示されている。
【００４１】
薬剤師は、まず、現時間帯での薬剤師の人数を「薬剤師の人数」設定部２０４に入力すると共に、処方箋１枚当たりの所要時間を「１枚当たりの時間」設定部２０５に入力する。「薬剤師の人数」設定部２０４に入力された人数は、第２設定手段２３２により記憶手段２９に格納される。「１枚当たりの時間」設定部２０５にされた時間は、第３設定手段２３３により記憶手段２９に格納される。
薬剤師は、処方箋を受け付ける度に、「受付」ボタン２０３を押下する。この押下により、「調剤中処方箋数」設定部２０２の表示が、第１設定手段２３１によりカウントアップされ、カウントアップされた処方箋数が記憶手段２９に格納される。
【００４２】
待ち時間処理手段２４は、「調剤中処方箋数」を「薬剤師の人数」にて除算し、小数点以下を切り上げた後に、「１枚当たりの時間」を乗算することで「待ち時間」を算出し、「待ち時間」表示部２０１に表示する。また、待ち時間処理手段２４は、「１枚当たりの時間」が経過すると、「待ち時間」から減算する。図５に示す例では、２５件÷５人×１０分であるため、「待ち時間」は５０分である。そして、「１枚当たりの時間」である１０分が経過すると１０分ごと減算される。また、「１枚当たりの時間」である１０分が経過すると、「調剤中処方箋数」設定部２０２の表示が、「薬剤師の人数」設定部２０４に設定された「薬剤師の人数」分、減算される。
【００４３】
待ち時間処理手段２４は、この「待ち時間」を調剤薬局案内装置１０へ送信する。
調剤薬局案内装置１０では、待ち時間受信手段１２が、通信手段１１を介して、第１端末装置２０の「待ち時間」を受信して、調剤薬局を識別する識別情報に関連付けて記憶手段１９に格納する。
このようにして、調剤薬局案内装置１０では、調剤薬局に設置された第１端末装置２０から、逐次、「待ち時間」が収集される。
【００４４】
病院にて治療を受けた患者が、医師が処方した処方箋を持って薬を購入するため、患者はスマートフォンである第２端末装置３０を操作して患者用プログラムを起動する。
薬の購入は、患者が病院から帰宅するときでもよいし、ショッピングや飲食、映画鑑賞などの用事を済ませてから帰宅するときでもよい。
【００４５】
第２端末装置３０の画面情報処理手段３２は、記憶手段３９から、図６に示す初期画面Ｐ２を読み出し、表示手段３８に表示する。
初期画面Ｐ２には、「一覧から探す」ボタン３０１と、「現在位置から探す」ボタン３０２と、「送信履歴から探す」ボタン３０３とが表示されている。
【００４６】
患者は、入力手段３７のタッチパネルを操作して、例えば、「現在位置から探す」ボタン３０２を押下したものとする。この押下により、送信情報処理手段３４が、調剤薬局の一覧を要求する通知と、位置検出手段３５からの患者位置情報とが、通信手段２１を介して、調剤薬局案内装置１０へ送信される。
【００４７】
調剤薬局案内装置１０では、地図画像送信手段１５が、患者位置情報が示す第２端末装置３０（患者）の位置を中心にして、その周囲に位置する調剤薬局が示された地図画像を、第２端末装置３０へ送信する。また、薬局一覧送信手段１４が、地図画像に表示された調剤薬局の一覧を、記憶手段１９から調剤薬局情報を読み出して生成し、調剤薬局ごとに「待ち時間」および「距離」を付加して、第２端末装置３０へ送信する。このとき、「待ち時間」が所定の時間以上の場合、つまり、多数の患者が調剤完了を待っている混みあった調剤薬局である場合には、通常の色と異なる、例えば、赤色表示とすることができる。また、地図画像に示された調剤薬局を指すアイコンについて、「待ち時間」が０分〜２０分を青色、２０分〜４０分を黄色、４０分以上を赤色と、段階的に変更することができる。更に、「距離」についても、所定以上の距離がある場合に、段階的に表示色を変更してもよい。
【００４８】
第２端末装置３０では、受信情報処理手段３３が、図７に示すような薬局選択画面Ｐ３を受信して、表示手段３８に表示する。
薬局選択画面Ｐ３では、上部に、患者が所在する位置の周辺の地図画像３１１が表示され、この地図に調剤薬局の位置を示すマーク３１２が重畳されている。地図画像３１１の下方には、調剤薬局の一覧３１３が表示されている。調剤薬局の一覧３１３には、円形状の調剤薬局の外観写真３１４と、調剤薬局の名称、住所と、「待ち時間」３１５、「距離」３１６とが表示されている。
【００４９】
患者は、地図画像３１１に示されたマーク３１２と、調剤薬局の一覧３１３に示された「待ち時間」３１５と「距離」３１６とから、調剤を依頼する調剤薬局を、表示手段３８に表示された調剤薬局上を押下することで選択する。送信情報処理手段３４が、選択された調剤薬局を調剤薬局案内装置１０へ通知する。
調剤薬局案内装置１０では、選択薬局処理手段１７が、調剤薬局の一覧３１３から選択された調剤薬局に関する調剤薬局情報を記憶手段１９から読み出し、第２端末装置３０へ送信する。
【００５０】
第２端末装置３０では、図８に示すように、薬局情報画面Ｐ４が表示手段３８に表示される。薬局情報画面Ｐ４では、選択された調剤薬局の位置を示す地図画像３２１と、選択薬局情報３２２とが表示されている。また、薬局情報画面Ｐ４の下部に、処方箋に付与されたＱＲコード（登録商標）を読み込む「処方せんＱＲ読込み」ボタン３２３と、処方箋を撮影して撮影画像を取り込む「処方せん撮影」ボタン３２４とが表示されている。
このようにして、患者は、図７に示す調剤薬局の一覧３１３から選択された調剤薬局の詳細を、図８に示す薬局情報画面Ｐ４により把握することができる。
【００５１】
患者は、処方箋を撮影するために、「処方せん撮影」ボタン３２４を押下する。この押下により、図９に示す写真指示画面Ｐ５が表示される。写真指示画面Ｐ５では、上段に処方箋の撮像を指示する「処方せんを撮影する」ボタン３３１と、記憶手段３９に格納された写真を選択することを指示する「写真を選択する」ボタン３３２と、元の画面（薬局情報画面Ｐ４）に戻ることを指示する「キャンセル」ボタン３３３とが表示されている。
【００５２】
「処方せんを撮影する」ボタン３３１を押下することで、撮影手段３６が起動され、レンズからの映像が表示手段３８に表示される。レンズの位置を処方箋に合わせ、処方箋を撮影すると、処方箋の撮影画像が記憶手段３９に格納される。
そして、表示手段３８に、図１０に示すような送信準備画面Ｐ６が表示される。
送信準備画面Ｐ６では、上段に撮影した処方箋の撮影画像のサムネイル３４１と、追加画像を指示する追加要求ボタン３４２と、薬手帳の有無を指定する手帳有無選択ボタン３４３と、ジェネリック薬品の使用の希望を指定するジェネリック薬品選択ボタン３４４と、調剤薬局へ来店する時間を入力する予定時間入力欄３４５と、電話番号を入力する番号入力欄３４６と、送信指示ボタン３４７とが表示されている。
【００５３】
患者は、追加の処方箋が無ければ、手帳有無選択ボタン３４３と、ジェネリック薬品選択ボタン３４４とにより選択し、予定時間入力欄３４５に予定時間を入力する共に、番号入力欄３４５に患者の電話番号を入力して、送信指示ボタン３４６を押下する。この押下により、処方箋の撮影画像Ｐ（図１１参照）と共に、送信準備画面Ｐ６にて入力された情報が調剤情報として、第２端末装置３０から調剤薬局案内装置１０へ送信される（図１１に示すステップＳ１１０参照）。
【００５４】
処方箋の撮影画像Ｐの送信が完了すれば、予定時間入力欄３４５に入力した来店の予定時間にもよるが、患者Ｃは、直接、調剤薬局Ｄへ向かってもよいし、ショッピングや飲食、映画鑑賞などの用事を済ませてから調剤薬局Ｄへ向かってもよい（図１１に示すステップＳ１２０参照）。
【００５５】
調剤薬局案内装置１０では、撮影画像転送手段１８が、第２端末装置３０から送信された処方箋の撮影画像Ｐを受信して記憶手段１９へ格納する共に、調剤薬局の一覧から選択された調剤薬局Ｄに設置された第１端末装置２０へ、処方箋の撮影画像Ｐを送信する。また、調剤情報も、第１端末装置２０へ送信される（図１１に示すステップＳ１３０参照）。
第１端末装置２０では、撮影画像受信手段２５が、調剤薬局案内装置１０からの処方箋の撮影画像を受信して記憶手段２９に格納する。そして、印刷制御手段２６が、記憶手段２９に格納された処方箋の撮影画像をプリンタ装置ＰＲに出力して印刷する（図１１に示すステップＳ１３０参照）。
【００５６】
プリンタ装置ＰＲにより印刷された処方箋を見て、薬剤師は、図５に示す受付画面Ｐ１に表示された「受付」ボタン２０３を押下して、処方箋の受け付けを行う。
他の調剤が完了して、患者Ｃの処方箋Ｐの順番が回ってくると、薬剤師が処方箋Ｐに基づいて薬の調剤を行い、患者Ｃの到着を待つ。
患者Ｃが調剤薬局Ｄに到着して、処方箋を薬剤師に提示する。薬剤師は、プリンタ装置ＰＲにより印刷された撮影画像の処方箋と、患者Ｃが持参した処方箋とを突き合わせることで、薬の確認を取り患者Ｃに渡す。こうすることで、誤って他人の薬を患者に渡してしまうことを防止することができる。
【００５７】
調剤薬局Ｄへ来店する予定時間は、待ち時間が２０分で、調剤薬局Ｄが歩いて２０分の距離であれば、現在時間から２０分後を設定する。そうすれば、処方箋の撮影画像を送信してから調剤薬局Ｄに到着したときに、薬が準備されているため、待ち時間無しに薬を受け取れる。
また、待ち時間が４０分で、調剤薬局Ｄが歩いて２０分の距離であれば、２０分以上のショッピングをした後に調剤薬局Ｄへ行けば、やはり待ち時間無しに薬を受けることができる。
【００５８】
このように、患者Ｃが調剤薬局の一覧を第２端末装置３０に表示させるときに、調剤薬局ごとの「待ち時間」が調剤薬局案内装置１０から送信されるので、調剤薬局ごとの待ち時間を把握することができる。そして、第２端末装置３０に送信された調剤薬局の一覧から選択された調剤薬局Ｄに、処方箋の撮影画像Ｐを調剤薬局案内装置１０に送信することで、第１端末装置２０へ処方箋の撮影画像Ｐが送信されるので、「待ち時間」を見て適切な時間に調剤薬局Ｄへ向かえば、待ち時間無く、薬を受け取ることができる。従って、調剤を依頼する調剤薬局を選択する前に、処方箋の撮影画像を送信したり、調剤を依頼されないかも知れない調剤に要する時間を検討したり、医師が入力した電子カルテを調剤薬局へ送信したりする必要がない。
従って、本実施の形態に係る調剤薬局案内システム、調剤薬局案内装置、調査薬局案内プログラムおよび調剤薬局案内方法は、患者に取って容易に調剤薬局が選択でき、調剤が依頼できると共に、調剤薬局の薬剤師に取っても負担が少なくすることができる。
【００５９】
図７に示すように、薬局選択画面Ｐ３にて、調剤薬局の一覧３１３に患者の位置から調剤薬局までの「距離」３１６が、調剤薬局案内装置１０から第２端末装置３０に送信されるため、患者は待ち時間だけでなく、調剤薬局までの距離を参考に、調剤を依頼する調剤薬局を選択することができる。
【００６０】
また、薬局選択画面Ｐ３にて、患者位置情報に基づいて、周囲に位置する調剤薬局が示された地図画像が表示されるので、調剤薬局の位置を地図上で確認することができる。従って、現在の患者の位置から近い、または用事を済ませるための施設から近い調剤薬局をひと目で把握することができる。
【００６１】
図７に示す薬局選択画面Ｐ３に表示された調剤薬局が既に営業時間外となっている場合がある。
例えば、薬局一覧送信手段１４が調剤薬局情報を記憶手段１９から読み出したときに、図７に示す調剤薬局の一覧３１３に営業時間外の調剤薬局が含まれていると、その旨を表示する薬局選択画面として、例えば、図１２に示すような薬局選択画面Ｐ３１とすることができる。
この薬局選択画面Ｐ３１では、図７と同様の地図画像３１１と、調剤薬局の一覧３１３Ａとが表示されている。調剤薬局の一覧３１３Ａには、状態表示部３１７が表示されている。
この状態表示部３１７は、「待ち時間」（「ご用意までの目安：約５分」）、営業時間外であること（「営業時間外」）、および調剤薬局が第１端末装置２０を備えていないため、待ち時間が表示できないこと（「待ち時間表示未対応です」）が、調剤薬局に対応させて表示されている。
【００６２】
患者が、この薬局選択画面Ｐ３１から営業時間外の調剤薬局を選択したとする。そうすると、図１３に示すように薬局情報画面Ｐ４（図８と同様の画面）が表示される。このとき、患者は、処方箋を調剤薬局へ送信するためのボタンである「処方せんＱＲ読込み」ボタン３２３、または「処方せん撮影」ボタン３２４のいずれかを選択するが、いずれを押下しても、選択した調剤薬局が営業時間外であれば、調剤薬局案内装置１０から受信した選択画面Ｐ７がポップアップにより表示される。
【００６３】
選択画面Ｐ７では、「進む」ボタン３５１と、「営業中の薬局一覧」ボタン３５２と、「キャンセル」ボタン３５３とが表示される。
「処方せん撮影」ボタン３２４を押下した場合であれば、「進む」ボタン３５１を押下すると、図９に示す写真指示画面Ｐ５へ進み、処方箋の写真を撮影したり、第２端末装置３０内から選択したりすることができる。
この場合、営業時間外の調剤薬局へ処方箋の写真を送信することになるため、送信された処方箋の写真は、調剤薬局案内装置１０の撮影画像転送手段１８が記憶手段１９に格納して翌日に送信される予約となる。
【００６４】
「営業中の薬局一覧」が押下されると、選択された営業時間外の調剤薬局から近い順に営業中の調剤薬局を並べて表示した調剤薬局の一覧３１３Ｂが表示される。患者はこの一覧の中から営業時間内の調剤薬局を選択することができる。
また、調剤薬局の一覧３１３Ｂでは、営業時間外の調剤薬局から近い順に営業中の調剤薬局が並べられているため、調剤薬局を変えても距離についての影響を抑えることができる。
【００６５】
ここで、図５、図７および図１２に表示される「待ち時間」について詳細に説明する。
待ち時間処理手段２４が、図５に示すように、「調剤中処方箋数」を「薬剤師の人数」にて除算し、小数点以下を切り上げた後に、「１枚当たりの時間」を乗算することで「待ち時間」を算出し、「待ち時間」表示部２０１に表示するため、調剤が依頼される処方箋の薬が不明であっても、目安となる待ち時間を患者に提示することができる。
【００６６】
「待ち時間」は、理想的には正確であることが望ましい。しかし、「待ち時間」の算出には、図５に示す受付画面Ｐ１にて、「１枚当たりの時間」設定部２０５に設定される「処方箋１枚当たりの調剤時間」が元になっている。
この「処方箋１枚当たりの調剤時間」となる平均調剤時間は、次の式によって算出することができる。
【００６７】
例えば、平均調剤時間は、１ヶ月間に調剤した実績、または数ヶ月間に調剤した実績の平均から、処方箋１件ごとの調剤に要した時間の合計を取り、総受付件数（処方箋の総枚数）で除算することで、受付１件（処方箋１枚）当たりの平均調剤時間を算出することができる。
平均調剤時間＝（ヒート剤の調剤時間の合計＋一包化の調剤時間の合計＋水剤混合の調剤時間の合計＋水剤混合の調剤時間の合計＋散剤混合の調剤時間の合計）／総受付件数・・・（式１）
なお、ヒート剤とは、ＰＴＰ（press through pack）包装やＳＰ（strip package）包装のようにヒートシールされた薬のことを示す。
【００６８】
また、薬の種類ごとの平均調剤時間が統計的にわかっている場合には、それぞれの薬の受付件数に、その薬の平均調剤時間を乗算し、それらの合計を総受付件数で除算することで、受付１件当たりの平均調剤時間を算出することができる。
平均調剤時間＝（ヒート剤件数×ヒート剤の平均調剤時間＋一包化件数×一包化の平均調剤時間＋水剤混合件数×水剤混合の平均調剤時間＋散剤混合件数×散剤混合の平均調剤時間）／総受付件数・・・（式２）
【００６９】
また、ヒート剤の調剤平均時間を基準に、他の薬を調剤するのに要する平均調剤時間の割合を係数（調剤時間係数）として、それぞれの薬の受付件数を乗算し、更にヒート剤の調剤平均時間を乗算したものに、総受付件数で除算することで、受付１件当たりの平均調剤時間を算出することができる。
ヒート剤の調剤時間を基準としているため、他の薬の調剤時間係数は、ヒート剤の調剤時間と較べて１．５倍要するのであれば「１．５」、２倍掛かるのであれば「２」となる。
平均調剤時間＝（ヒート剤件数＋一包化件数×一包化の調剤時間係数＋水剤混合件数×水剤混合の調剤時間係数＋散剤混合件数×散剤混合の調剤時間係数）×ヒート剤平均調剤時間／総受付件数・・・（式３）
【００７０】
このように、処方箋１枚当たりの調剤時間を、調剤の種類ごとに算出した調剤時間の合計を、総受付件数で除算することから求めることにより、調剤に時間が掛かる一包化する薬や計量混合する薬なども反映させることができる。従って、算出された平均調剤時間に基づいて、「１枚当たりの時間」設定部２０５に設定される「処方箋１枚当たりの調剤時間」の初期値を設定することで、より正確な「待ち時間」が算出することができ、患者に提示することができる。
【００７１】
なお、本実施の形態では、散剤混合を含めて平均調剤時間を算出していたが、ヒート剤の調剤時間と変わりが無いようであれば、ヒート剤としてカウントすることも可能である。
【００７２】
「１枚当たりの時間」が経過すると、「調剤中処方箋数」設定部２０２の表示が「薬剤師の人数」設定部２０４に設定された「薬剤師の人数」分、減算されるが、実際の調剤中の処方箋数と合わなくなることが想定される。その場合には、薬剤師が「調剤中処方箋数」設定部２０２を操作して、実際の調剤中の処方箋数を入力することで対応することができる。
【産業上の利用可能性】
【００７３】
本発明は、複数の調剤薬局を運営する会社が患者に情報を提供する場合や、それぞれの調剤薬局を運営する会社と提携する会社が患者に情報を提供する場合に好適である。
【符号の説明】
【００７４】
１０  調剤薬局案内装置
１１  通信手段
１２  待ち時間受信手段
１３  距離演算手段
１４  薬局一覧送信手段
１５  地図画像送信手段
１６  履歴一覧送信手段
１７  選択薬局処理手段
１８  撮影画像転送手段
１９  記憶手段
２０  第１端末装置
２１  通信手段
２２  画面情報処理手段
２３  設定手段
２３１  第１設定手段
２３２  第２設定手段
２３３  第３設定手段
２４  待ち時間処理手段
２５  撮影画像受信手段
２６  印刷制御手段
２７  入力手段
２８  表示手段
２９  記憶手段
３０  第２端末装置
３１  通信手段
３２  画面情報処理手段
３３  受信情報処理手段
３４  送信情報処理手段
３５  位置検出手段
３６  撮影手段
３７  入力手段
３８  表示手段
３９  記憶手段
Ｐ１  受付画面
２０１  「待ち時間」表示部
２０２  「調剤中処方箋数」設定部
２０３  「受付」ボタン
２０４  「薬剤師の人数」設定部
２０５  「１枚当たりの時間」設定部
Ｐ２  初期画面
３０１  「一覧から探す」ボタン
３０２  「現在位置から探す」ボタン
３０３  「送信履歴から探す」ボタン
Ｐ３  薬局選択画面
３１１  地図画像
３１２  マーク
３１３，３１３Ａ，３１３Ｂ  調剤薬局の一覧
３１４  外観写真
３１５  「待ち時間」
３１６  「距離」
３１７  状態表示部
Ｐ４  薬局情報画面
３２１  地図画像
３２２  選択薬局情報
３２３  「処方せんＱＲ読込み」ボタン
３２４  「処方せん撮影」ボタン
Ｐ５  写真指示画面
３３１  「処方せんを撮影する」ボタン
３３２  「写真を選択する」ボタン
３３３  「キャンセル」ボタン
Ｐ６  送信準備画面
３４１  サムネイル
３４２  追加要求ボタン
３４３  手帳有無選択ボタン
３４４  ジェネリック薬品選択ボタン
３４５  予定時間入力欄
３４６  番号入力欄
３４７  送信指示ボタン
Ｐ７  選択画面
３５１  「進む」ボタン
３５２  「営業中の薬局一覧」ボタン
３５３  「キャンセル」ボタン
Ｃ  患者
Ｄ  調剤薬局
Ｐ  撮影画像
ＰＲ  プリンタ装置
Ｒ  無線中継装置
Ｗ  インターネット
【図１】
2018073066.tif 000003
【図２】
2018073066.tif 000004
【図３】
2018073066.tif 000005
【図４】
2018073066.tif 000006
【図５】
2018073066.tif 000007
【図６】
2018073066.tif 000008
【図７】
2018073066.tif 000009
【図８】
2018073066.tif 000010
【図９】
2018073066.tif 000011
【図１０】
2018073066.tif 000012
【図１１】
2018073066.tif 000013
【図１２】
2018073066.tif 000014
【図１３】
2018073066.tif 000015